(57)【要約】【課題】使用者により給湯温度を変更する操作がなされたときに、変更された給湯温度の音声報知を使用者に違和感を与えること無く行うことができる給湯器のリモコン装置を提供する。【解決手段】使用者により、ＵＰスイッチ２４又はＤＯＷＮスイッチ２３による給湯器１の給湯温度の変更操作が連続して行われたときに、前回の給湯温度の変更操作時から所定時間が経過する前に次の給湯温度の変更操作が行われたときは、給湯温度の音声報知を禁止してディスプレイ２０による給湯温度の表示のみを行い、前回の給湯温度の変更操作時から給湯温度の変更操作が行われることなく前記所定時間が経過したときには、前回の給湯温度の変更操作により設定された給湯温度を音声報知する音声報知制御手段６０を設ける。【選択図】  図２
2005049029.tif 000002
【特許請求の範囲】
【請求項１】
給湯器を遠隔操作する機能を有し、該給湯器の給湯温度を設定するための温度設定スイッチと、該温度設定スイッチにより設定された給湯温度を表示する表示手段と、該温度設定スイッチにより設定された給湯温度を音声により報知する音声報知手段とを備えた給湯器のリモコン装置において、
前記温度設定スイッチが連続して複数回操作されたときに、前回の操作時点から所定時間よりも短い間隔で次の操作がなされている間は、前記音声報知手段による給湯温度の音声報知を禁止して前記表示手段による給湯温度の表示のみを実行させ、前回の操作時点から次の操作がなされることなく前記所定時間が経過したときに、前回の操作により設定された給湯温度の前記音声報知手段による音声報知を許可する音声報知制御手段を備えたことを特徴とする給湯器のリモコン装置。
【請求項２】
前記音声報知制御手段は、前記温度設定スイッチの操作により所定の上限温度を超える給湯温度が設定されたときには、該操作が前回の前記温度設定スイッチの操作時点から前記所定時間が経過する前になされたときであっても、前記音声報知手段による該給湯温度の音声報知を許可することを特徴とする請求項１記載の給湯器のリモコン装置。
【請求項３】
前記音声報知手段は、前記給湯器の作動状態を音声により報知する機能を有し、
前記音声報知手段により前記給湯器の作動状態の音声報知がなされているときに、前記音声報知制御手段により給湯温度の音声報知が許可されたときには、予め定められた両音声報知間の相対的な優先関係に基づいて、前記給湯器の作動状態の音声報知を優先して前記給湯器の作動状態の音声報知を継続する第１の音声調停処理と、給湯温度の音声報知を優先して前記給湯器の作動状態の音声報知を中止して給湯温度の音声報知を行う第２の音声調停処理とのうちのいずれかを実行する音声出力調停手段を備えたことを特徴とする請求項１又は請求項２記載の給湯器のリモコン装置。
【発明の詳細な説明】
【技術分野】
【０００１】
本発明は、設定された給湯温度を音声により報知する機能を有して、給湯器を遠隔操作するリモコン装置に関する。
【背景技術】
【０００２】
給湯器を遠隔操作するリモコン装置において、音声による報知を行う機能を有するものが知られている（例えば特許文献１参照）。かかるリモコン装置によれば、使用者が温度設定スイッチを操作して給湯温度を変更したときに、「給湯温度を変更します」という音声が出力される。
【０００３】
そして、温度設定スイッチが繰り返し操作される場合に、温度設定スイッチが操作される度に「給湯温度を変更します」という音声が繰り返し出力されると、使用者にとって
耳障りで煩わしい。そこで、最初に温度設定スイッチが操作されたときにのみ「給湯温度を変更します」という音声報知を行い、該最初の操作時から５秒以内に温度設定スイッチが繰り返し操作されたときには、「給湯温度を変更します」という音声報知を禁止するようにしている。
【０００４】
ここで、使用者にとっては、「給湯温度を変更します」という大まかな音声報知を行うよりも、「給湯温度を４０℃に設定しました」というより詳細な音声報知を行う方が、操作内容を音声により確認できるため使い勝手が良いと思われる。そして、この場合にも、上述したように、最初に温度設定スイッチが操作されたときにのみ「給湯温度を４０℃に設定しました」という音声報知を行い、該最初の操作時から５秒以内に温度設定スイッチが繰り返し操作されたときには、音声報知を禁止する処理を行うことが考えられる。
【０００５】
しかし、給湯温度を音声報知する場合にかかる処理を行うと、例えば、最初の温度設定スイッチを操作に応じて「給湯温度を４０℃に設定しました」という音声報知がなされている間の５秒以内に、使用者が更に温度設定スイッチを操作して給湯温度を変更しても、「給湯温度を４０℃に設定しました」という音声報知が継続される。
【０００６】
そして、この場合は、給湯温度を変更する操作を行ったにもかかわらず、依然として変更前の給湯温度を報知する音声が継続して出力されるため、使用者に違和感を与えると共に、変更内容を音声により確認することができないという不都合がある。
【特許文献１】特開２００１−２５５０１１号公報（第１０−１２頁）
【発明の開示】
【発明が解決しようとする課題】
【０００７】
本発明は上記背景を鑑みてなされたものであり、使用者により給湯温度を変更する操作が行われたときに、変更された給湯温度の音声報知を使用者に違和感を与えること無く行う給湯器のリモコン装置を提供することを目的とする。
【課題を解決するための手段】
【０００８】
本発明は上記目的を達成するためになされたものであり、給湯器を遠隔操作する機能を有し、該給湯器の給湯温度を設定するための温度設定スイッチと、該給湯器により設定された給湯温度を表示する表示手段と、該温度設定スイッチにより設定された給湯温度を音声により報知する音声報知手段とを備えた給湯器のリモコン装置の改良に関する。
【０００９】
そして、前記温度設定スイッチが連続して複数回操作されたときに、前回の操作時点から所定時間よりも短い間隔で次の操作がなされている間は、前記音声報知手段による給湯温度の音声報知を禁止して前記表示手段による給湯温度の表示のみを実行させ、前回の操作時点から次の操作がなされることなく前記所定時間が経過したときに、前回の操作により設定された給湯温度の前記音声報知手段による音声報知を許可する音声報知制御手段を備えたことを特徴とする。
【００１０】
かかる本発明によれば、前記温度設定スイッチが前記所定時間よりも短い間隔で連続して操作されている間は、前記音声報知手段による給湯温度の音声報知が禁止されて、前記表示手段による給湯温度の表示のみが行われる。そのため、前記温度設定スイッチの操作に応じて、前記音声報知手段により給湯温度の音声報知が連続して頻繁に行われ、使用者に煩わしさを与えることがない。また、最初の前記温度設定スイッチの操作により設定された給湯温度を音声報知し、その後の一定時間が経過するまでの間に前記温度設定スイッチが操作されたときは給湯温度の音声報知を禁止する場合のように、温度設定スイッチの操作により給湯温度が変更されているにもかかわらず、給湯温度の音声報知が変更されず、使用者に違和感を与えるようなこともない。
【００１１】
そして、前回の温度設定スイッチの操作時点から次の操作がなされることなく前記所定時間が経過したときは、使用者による前記温度設定スイッチの操作が終了したと判断できる。そこで、このときには、前記音声報知制御手段は、前回の操作により設定された給湯温度の前記音声報知手段による音声報知を許可することによって、変更された給湯温度を音声により報知する。これにより、使用者に対して、変更された給湯温度を音声により確実に認識させることができる。
【００１２】
また、前記音声報知制御手段は、前記温度設定スイッチの操作により所定の上限温度を超える給湯温度が設定されたときには、該操作が前回の前記温度設定スイッチの操作時点から前記所定時間が経過する前になされたときであっても、前記音声報知手段による該給湯温度の音声報知を許可することを特徴とする。
【００１３】
かかる本発明によれば、前記上限温度を超える給湯温度が設定されたときには、前回の給湯温度の変更操作時からの経過時間に拘わらず、前記音声報知制御手段により前記音声報知手段による給湯温度の音声報知が直ちに許可される。そのため、使用者に対して、熱いお湯が出湯されることをタイミング良く報知して、注意を促がすことができる。
【００１４】
また、前記音声報知手段は、前記給湯器の作動状態を音声により報知する機能を有し、前記音声報知手段により前記給湯器の作動状態の音声報知がなされているときに、前記音声報知制御手段により給湯温度の音声報知が許可されたときには、予め定められた両音声報知間の相対的な優先関係に基づいて、前記給湯器の作動状態の音声報知を優先して前記給湯器の作動状態の音声報知を継続する第１の音声調停処理と、給湯温度の音声報知を優先して前記給湯器の作動状態の音声報知を中止して給湯温度の音声報知を行う第２の音声調停処理とのうちのいずれかを実行する音声出力調停手段を備えたことを特徴とする。
【００１５】
かかる本発明によれば、前記給湯器の作動状態の音声報知と給湯温度の音声報知とが競合した場合に、前記優先関係に基づいて、前記第１の音声調停処理と前記第２の音声調停処理とのうちのいずれの音声調停処理を行うかを選択的に実行することができる。
【発明を実施するための最良の形態】
【００１６】
本発明の実施の形態について、図１〜図５を参照して説明する。図１は給湯器を遠隔操作するリモコンシステムの全体構成図、図２は図１に示した風呂リモコンの構成図、図３は各リモコンから出力される音声の一覧表、図４は音声報知制御手段の作動フローチャート、図５は音声調停処理のフローチャートである。
【００１７】
図１を参照して、給湯器１は、マイクロコンピュータやメモリ等により構成される電子ユニットであるコントローラ２によって全体の作動が制御される。そして、給湯器１を遠隔操作するために、風呂リモコン１０と台所リモコン１１とサブリモコン１２とが、コントローラ２と通信可能に接続されている。なお、風呂リモコン１０、台所リモコン１１、及びサブリモコン１２は本発明の給湯器のリモコン装置に相当する。
【００１８】
風呂リモコン１０は浴室の壁面に設置され、給湯器１の運転状態や給湯温度等を表示するディスプレイ２０（本発明の表示手段に相当する）、給湯器１を運転状態と運転待機状態とに切換える運転入／切スイッチ２１、浴槽（図示しない）への自動湯張り運転の開始を指示する自動スイッチ２２、給湯温度の設定等を行うＵＰスイッチ２４及びＤＯＷＮスイッチ２３（本発明の温度設定スイッチに相当する）、設定値の変更対象（給湯温度、時計、自動湯張り運転の予約時刻、スピーカ音量）を切換える選択スイッチ２５、風呂リモコン１０による給湯温度の設定のみを許可して他のリモコン１１，１２による給湯温度の設定を禁止する「優先モード」の設定／解除をする優先スイッチ２６、及び音声を出力するブザー２７を備えている。
【００１９】
また、台所リモコン１１は台所の壁面に設置され、風呂リモコン１０と同様に、ディスプレイ３０（本発明の表示手段に相当する）、運転入／切スイッチ３１、自動スイッチ３２、ＵＰスイッチ３４及びＤＯＷＮスイッチ３３（本発明の温度設定スイッチに相当する）、選択スイッチ３５、及びブザー３６を備えている。
【００２０】
また、サブリモコン１２はリビングの壁面等に設置され、風呂リモコン１０及び台所リモコン１１と同様に、ディスプレイ４０（本発明の表示手段に相当する）、運転入／切スイッチ４１、自動スイッチ４２、ＵＰスイッチ４４及びＤＯＷＮスイッチ４３（本発明の温度設定スイッチに相当する）、選択スイッチ４５、及びブザー４６を備えている。
【００２１】
次に、図２を参照して、風呂リモコン１０は、風呂リモコン１０の全体的な作動を制御するマイクロコンピュータ５０（以下、マイコン５０という）、音声報知を行うための各種の音声データ（Ｖ_dat）が記憶された音声メモリ５１、マイコン５０からの音声出力指示により選択した音声データを音声メモリ５１から読出して再生し、再生した音声信号をスピーカ２７に出力する音声再生回路５２（スピーカ２７と共に本発明の音声報知手段を構成する）、各スイッチ２１〜２６の操作状態を検出して操作状態検出信号（Ｓｗ_sig）をマイコン５０に出力するスイッチ入力回路５３、マイコン５０から出力される表示データに応じた駆動信号をディスプレイ２０に出力する表示駆動回路５４、及び給湯器１のコントローラ２との間で通信を行なうための通信回路５５を備えている。
【００２２】
そして、マイコン５０は、スイッチ入力回路５３から入力した操作状態検出信号（Ｓｗ_sig）又は、コントローラ２から入力した給湯器１の作動状態を示す状態報知信号（Ｓｔａｔ_sig）に対応した音声データ（Ｖ_sel）を選択する音声データ選択手段６２と、音声再生回路５２により再生する音声データを決定する音声報知制御手段６０と、音声再生回路５２により音声が再生されているときに音声データ選択手段６２により新たな音声データが選択されたときに、出力中の音声データと新たに選択された音声データとの間の音声調停処理を行う音声出力調停手段６１とを備えている。
【００２３】
なお、台所リモコン１１及びサブリモコン１２の構成も風呂リモコン１０と同様であるため、風呂リモコン１０の作動について以下に説明し、台所リモコン１１及びサブリモコン１２の作動説明は省略する。
【００２４】
音声メモリ５１には、図３に示した２９種類の音声データ（Ｖ01〜Ｖ29）が記憶されている。そして、スイッチ２１〜２６が操作されたときは、操作内容に応じてＶ01〜Ｖ08のうちのいずれかの音声データが音声データ選択手段６２により選択される。例えば、ＵＰスイッチ２４が操作されたときは、Ｖ06の音声データが選択され、該音声データに応じた「メロディ（ＵＰ）」の音声が音声再生回路５２により再生されてスピーカ２７から出力される。また、ＤＯＷＮスイッチ２３が操作されたときは、Ｖ07の音声データが選択され、該音声データに応じた「メロディ（ＤＯＷＮ）」の音声が音声再生回路５２により生成されてスピーカ２７から出力される。
【００２５】
また、ＵＰスイッチ２４及びＤＯＷＮスイッチ２３以外のスイッチが操作されたときは、Ｖ01の音声データが選択され、該音声データに応じた「ＳＷ受付ブザー」の音声が音声再生回路５２により再生されてスピーカ２７から出力される。なお、各リモコンは計時機能を有し、選択スイッチ２６を操作することによって、ＵＰスイッチ２４及びＤＯＷＮスイッチ２３による設定モードが、「設定確定モード → 給湯温度設定モード → 時計設定モード → 自動湯張り予約時刻設定モード → スピーカ音量設定モード」と変更される。
【００２６】
そして、「スピーカ音量設定モード」においては、ＵＰスイッチ２４及びＤＯＷＮスイッチ２３の操作により、「音量大 → 音量中 → 音量小 → 音消し」と、スピーカ２７の出力音量の設定が切換わり、操作内容に応じてＶ02〜Ｖ05のいずれかの音声データが音声データ選択手段６２により選択される。そして、選択された音声データに応じた音声が音声再生回路５２により再生されてスピーカ２７から出力される。
【００２７】
また、風呂リモコン１０の優先スイッチ２６の操作により、上述した「優先モード」となっているときに、台所リモコン１１又はサブリモコン１２において給湯温度を変更しようとする操作がなされたときには、該操作がなされたリモコンにおいてＶ08の音声データが選択される。そして、選択された音声データに応じた「給湯温度は変更できません」という音声がスピーカから出力される。
【００２８】
また、ＵＰスイッチ２４及びＤＯＷＮ２３の操作により給湯温度の変更が指示されたときは、風呂リモコン１０から給湯器１のコントローラ２に該指示内容に応じた信号が送信される。そして、該信号に応じて給湯温度を変更したコントローラ２から各リモコンに対して、新たに設定された給湯温度のデータが送信され、該データに応じて、風呂リモコン１０においては、Ｖ09〜Ｖ24のうちのいずれかの音声データが選択され、該選択された音声データに応じた音声が出力される。また、台所リモコン１１及びサブリモコン１２においては、Ｖ26の音声データが選択されて「給湯温度が変更されました」という音声が出力され、給湯温度が６０℃以上に設定されたときには、さらにＶ25のデータが選択されて「熱いお湯が出ます」という音声が出力される。
【００２９】
また、給湯器１が自動湯張り運転を開始する時は、給湯器１のコントローラ２から各リモコン１０，１１，１２に対して、自動湯張り運転の開始を報知する状態報知信号が送信され、該状態報知信号を受信した各リモコン１０，１１，１２においては、Ｖ27の音声データが選択されて「お湯張りをします」という音声が出力される。
【００３０】
そして、自動湯張り運転の終了５分前となった時に、給湯器１のコントローラ２から各リモコンに対してその旨を報知する状態報知信号が送信され、該状態報知信号を受信した各リモコン１０，１１，１２においては、Ｖ29の音声データが選択されて「ブザー＋残りおよそ５分でお風呂に入れます」という音声がスピーカから出力される。
【００３１】
また、自動湯張り運転が終了した時には、給湯器１のコントローラ２から各リモコンに対してその旨を報知する信号が送信され、該信号を受信した各リモコン１０，１１，１２においては、Ｖ28の音声データが選択されて「メロディ＋お風呂が沸きました」という音声がスピーカから出力される。
【００３２】
ここで、選択スイッチ２６により「給湯温度設定モード」とされた状態で、ＵＰスイッチ２４又はＤＯＷＮスイッチ２３が操作されると、風呂リモコン１０から給湯器１のコントローラ２に対して、給湯温度の変更を指示する信号が送信される。そして、コントローラ２から給湯温度を変更した旨を報知する状態報知信号（Ｓｔａｔ_sig）を受信したときに、音声データ選択手段６２により該状態報知信号（Ｓｔａｔ_sig）に応じた音声データ（Ｖ09〜Ｖ24）が選択される。
【００３３】
このように、使用者がＵＰスイッチ２４又はＤＯＷＮスイッチ２３の操作により給湯温度を変更する場合、ＵＰスイッチ２４又はＤＯＷＮスイッチ２３を連続的に操作して、例えば給湯温度を４０℃から４４℃に変更することがあるが、この場合に、ＵＰスイッチ２４が操作される度に給湯温度の音声報知を行うと使用者によって耳障りで煩わしい。また、給湯温度の音声報知を途中で中止して次の給湯温度の音声報知を行うと、「給湯温度は−（中止）−給湯温度は−（中止）−…」というように意味のない音声報知が繰り返されることになる。
【００３４】
また、最初のＵＰスイッチ２４又はＤＯＷＮスイッチ２３の操作により設定された給湯温度の音声報知のみを行い、その後に連続する操作に対しては音声報知を禁止することも考えられるが、この場合には、最初の操作に応じた「給湯温度は４０℃です」という音声報知がなされている間は、次の操作により給湯温度の変更を指示したにも拘わらず、給湯温度の音声報知が切換わらないため、使用者に違和感を与えてしまう。
【００３５】
そこで、音声報知制御手段６０は、ＵＰスイッチ２４又はＤＯＷＮスイッチ２３が連続的に操作されて給湯温度の変更が指示されたときには、図４に示した処理を実行して、使用者に違和感を与えることなく給湯温度の変更を音声により報知するようにしている。以下、図４及び図５に示したフローチャートに従って、音声報知制御手段６０の作動について説明する。
【００３６】
図４のＳＴＥＰ１で、ＵＰスイッチ２４又はＤＯＷＮスイッチ２３による給湯温度の変更操作がなされると、ＳＴＥＰ２に進み、音声報知制御手段６０は、タイマをスタートする。なお、タイマの計時時間（本発明の所定時間に相当する）は、例えば１．５秒に設定される。
【００３７】
そして、音声報知制御手段６０は、次のＳＴＥＰ３とＳＴＥＰ３から分岐したＳＴＥＰ３０とからなるループを実行し、ＳＴＥＰ３０でタイマがタイムアップするまで、ＳＴＥＰでＵＰスイッチ２４又はＤＯＷＮスイッチ２３による給湯温度の変更操作がなされたか否かを判断する。
【００３８】
ＳＴＥＰ３で給湯温度の変更操作がなされると、ＳＴＥＰ４に進み、音声報知制御手段６０は給湯温度の変更を指示する信号を給湯器１のコントローラ２に送信する。そして、続くＳＴＥＰ５で、該信号に応じて給湯温度を変更したコントローラ２から送信される給湯温度の報知信号に基づいて、音声報知制御手段６０は、給湯温度の表示データを表示駆動回路５４（図２参照）に送信する。これにより、変更された給湯温度がディスプレイ２０に表示される。
【００３９】
そして、音声報知制御手段６０は、次のＳＴＥＰ６でタイマを再スタートし、ＳＴＥＰ７で、変更後の給湯温度が６０℃未満であったときはＳＴＥＰ３に戻る。このように、前回の給湯温度の変更操作時から、タイマの計時時間（１．５秒）が経過する前に次の給湯温度の変更操作がなされたときには、ＳＴＥＰ４〜ＳＴＥＰ５の処理が実行されて、ディスプレイ２０への給湯温度の表示のみが行われ、給湯温度の音声報知は禁止される。
【００４０】
そのため、タイマの計時時間（１．５秒）よりも短い間隔で、給湯温度を変更する操作が連続してなされたときに、上述した意味のない音声報知や不自然な音声報知がなされて使用者に違和感を与えることがない。
【００４１】
また、ＳＴＥＰ７で給湯温度が６０℃以上であったときは、ＳＴＥＰ８に進み、給湯器１の作動状態の音声報知がなされていなければ、ＳＴＥＰ９に進んで、音声報知制御手段６０は変更された給湯温度の音声報知を行う。これにより、給湯温度が６０℃以上に設定されて熱いお湯が給湯される状態となったときには、前回の給湯温度の変更操作時からタイマの計時時間（１．５秒）よりも短い間隔で次の給湯温度の変更操作がなされたときであっても、直ちに給湯温度の音声報知（「熱いお湯が出ます。給湯温度を６０℃に設定しました」）がなされて、使用者に速やかに注意を促がすことができる。
【００４２】
また、ＳＴＥＰ８で、給湯器１の作動状態の音声報知がなされているときは、ＳＴＥＰ２０に分岐して、音声出力調停手段６１による音声出力調停処理が実行される。音声出力調停処理は、図５に示したフローチャートに従って実行され、音声出力調停手段６１は、図５のＳＴＥＰ５０で出力中の音声が「お風呂が沸きました」であるか否かを判断する。
【００４３】
そして、「お風呂が沸きました」という音声が出力されているときは、ＳＴＥＰ５１に進み、音声出力調停手段６１は、出力中の音声報知を優先して給湯温度の音声報知を禁止し、出力中の音声報知を継続する（本発明の第１の音声調停処理に相当する）。これにより、「お風呂が沸きました」という使用者にとって重要な情報の報知が途中で中止されることを防止している。
【００４４】
一方、ＳＴＥＰ５０で出力中の音声が「お風呂が沸きました」以外であったとき（「お湯張りをします」等）には、ＳＴＥＰ６０に分岐し、音声出力調停手段６１は、給湯温度の音声報知を優先して、ＳＴＥＰ６０で出力中の音声報知を中止し、続くＳＴＥＰ６１で給湯温度の音声報知を実行する（本発明の第２の音声調停処理に相当する）。これにより、使用者にとってさほど重要でない音声報知を中止して、給湯温度が変更されたことを確実に報知するようにしている。
【００４５】
また、図４のＳＴＥＰ３０でタイマがタイムアップしたときは、ＳＴＥＰ３１に進み、給湯器１の作動状態の音声報知がなされていなければ、ＳＴＥＰ３１に進んで、音声報知制御手段６０は、変更された給湯温度の音声報知を行う。これにより、前回の給湯温度の変更操作時から次の給湯温度の変更操作がなされることなくタイマの計時時間（１．５秒）が経過し、使用者による給湯温度の変更操作が終了したと判断されるときには、変更された給湯温度が音声報知される。そのため、使用者は、変更された給湯温度を音声により確認することができる。
【００４６】
なお、ＳＴＥＰ３１で、給湯器１の作動状態の音声報知がなされていたときには、ＳＴＥＰ４０に進んで、音声出力調停手段６１による音声調停処理が行われる。
【００４７】
なお、本実施の形態においては、図４のＳＴＥＰ７で、給湯温度が６０℃以上に設定されたときには、前回の給湯温度の変更時からの経過時間に拘わらず、ＳＴＥＰ８に進んで、給湯器１の作動状態の音声報知がなされていなければ給湯温度を音声報知する処理を行ったが、かかる処理を行わない場合であっても、本発明の効果を得ることができる。
【００４８】
また、本実施の形態においては、図４のＳＴＥＰ８で給湯器１の作動状態の音声報知がなされていたときはＳＴＥＰ２０に進み、また、ＳＴＥＰ４０で給湯器１の作動状態の音声報知がなされていたときにはＳＴＥＰ４０に進んで、図５に示した音声調停処理を行ったが、該音声調停処理を行わない場合であっても、本発明の効果を得ることができる。
【００４９】
また、本実施の形態においては、自動湯張り運転における浴槽への給湯温度と、それ以外の台所や洗面所等の給湯栓への給湯温度とを区別しないで設定したが、これらの給湯温度を区別して設定するようにしてもよい。この場合は、例えば自動湯張り運転における浴槽への給湯温度を「風呂温度」として、ＵＰスイッチ２４及びＤＯＷＮスイッチ２３による設定モードに「風呂温度設定モード」を追加すればよい。
【００５０】
そして、図３に示した音声データに給湯設定温度ナビと同様に「風呂温度を、○○℃に設定しました」という風呂設定温度ナビの音声データを追加し、ＵＰスイッチ２４及びＤＯＷＮスイッチ２３の操作により風呂温度が変更されたときに、該音声データを再生して音声報知を行うようにすればよい。
【図面の簡単な説明】
【００５１】
【図１】給湯器を遠隔操作するリモコンシステムの全体構成図。
【図２】図１に示した風呂リモコンの構成図。
【図３】各リモコンから出力される音声の一覧表。
【図４】音声報知制御手段の作動フローチャート。
【図５】音声調停処理のフローチャート。
【符号の説明】
【００５２】
１…給湯器、２…コントローラ、１０…風呂リモコン、１１…台所リモコン、１２…サブリモコン、６０…音声報知制御手段、６１…音声出力調停手段、６２…音声データ選択手段
【図１】
2005049029.tif 000003
【図２】
2005049029.tif 000004
【図３】
2005049029.tif 000005
【図４】
2005049029.tif 000006
【図５】
2005049029.tif 000007